(57)【要約】  本発明により、優れた接着性を有し、かつ表面抵抗が低い、電子デバイスのバッファー層として使用可能な導電性接着剤組成物が提供される。  本発明の導電性接着剤組成物は、（Ａ）水溶性ポリビニル重合体、（Ｂ）有機添加剤及び（Ｃ）導電性有機高分子化合物を含んでおり、（Ｂ）有機添加剤は水溶性多価アルコール、水溶性ピロリドン類または親水性の非プロトン性溶媒から選ばれる少なくとも一種であり、（Ｃ）導電性有機高分子化合物は、ポリアニリン類、ポリピロール類またはポリチオフェン類、及びそれらの誘導体から選ばれる少なくとも１種であることを特徴とする。また、本発明により、前記導電性接着剤組成物からなる導電層を有する電子デバイス、同導電性接着剤組成物からなる導電層が積層されてなる陽極積層体ならびに同電子デバイスの製造方法が提供される。【特許請求の範囲】
【請求項１】
（Ａ）水溶性ポリビニル重合体、（Ｂ）有機添加剤及び（Ｃ）導電性有機高分子化合物を含む導電性接着剤組成物であって、
（Ｂ）有機添加剤は水溶性多価アルコール、水溶性ピロリドン類または親水性の非プロトン性溶媒から選ばれる少なくとも一種であり、（Ｃ）導電性有機高分子化合物は、ポリアニリン類、ポリピロール類またはポリチオフェン類及びその誘導体から選ばれる少なくとも１種であることを特徴とする導電性接着剤組成物。
【請求項２】
水溶性ポリビニル重合体のガラス転移温度をＴ１、（Ｂ）有機添加剤の融点をＴ２、有機添加剤の０．１０１ＭＰａ（７６０ｍｍＨｇ）における沸点をＴ３としたときに、Ｔ２＜Ｔ１＜Ｔ３を満たす請求項１に記載の導電性接着剤組成物。
【請求項３】
水溶性ポリビニル重合体が、ポリビニルアルコール、ポリビニルピロリドン及びポリアクリル酸から選ばれる少なくとも１種である請求項１に記載の導電性接着剤組成物。
【請求項４】
請求項１に記載の導電性接着剤組成物からなる導電層を有することを特徴とする電子デバイス。
【請求項５】
陽極層と、請求項１に記載の導電性接着剤組成物からなる導電層と、光電変換層と、陰極層をこの順に配置してなる請求項４に記載の電子デバイス。
【請求項６】
陽極層と、請求項１に記載の導電性接着剤組成物からなる導電層と、発光層と、陰極層をこの順に配置してなる請求項４に記載の電子デバイス。
【請求項７】
基材上に陽極層、請求項１に記載の導電性接着剤組成物からなる導電層がこの順に積層されてなることを特徴とする陽極積層体。
【請求項８】
請求項４に記載の電子デバイスの製造方法であって、
陽極層上に前記請求項１に記載の導電性接着剤組成物からなる導電層を形成して陽極積層体を形成させる工程と、陰極層上に前記光電変換層又は発光層を形成して陰極積層体を形成させる工程と、前記導電性接着剤組成物が軟化する温度以上で、前記陰極積層体の光電変換層又は発光層表面と前記陽極積層体の導電層表面を貼り合わせることを特徴とする電子デバイスの製造方法。
【発明の詳細な説明】
【技術分野】
【０００１】
本発明は、導電性接着剤組成物、電子デバイス、陽極積層体及び電子デバイスの製造方法に関する。
に関する。
【背景技術】
【０００２】
近年、有機エレクトロルミネッセンス、各種太陽電池、タッチパネルや携帯電話、電子ペーパー等において、透明導電膜を用いた透明電極が盛んに検討されている。
例えば、有機薄膜太陽電池に代表される有機光電変換あるいは電光変換デバイスは、通常、透明導電膜よりなる電極に材料を積層して作製される。透明導電膜としては金属薄膜、金属酸化物薄膜、導電性窒化物薄膜等の各種導電膜が検討されているが、現在は主に光透過性と導電性との両立が可能で耐久性にも優れるため金属酸化物薄膜が主流である。中でも特に錫をドープした酸化インジウム（ＩＴＯ）は、光透過性と導電性とのバランスが良く、酸溶液を用いたウェットエッチングによる電極微細パターン形成が容易であることから、広く使用されている（特許文献１）。
一方、ＰＥＴ等の透明基材に金属製の微細なメッシュあるいはグリッドを形成したシートがある（特許文献２）。これらのシートは透光性および導電性がメッシュの設計（ピッチ、線幅で決まる開口率）次第で制御できるので、透明電極としての利用可能性がある。
ところで、従来から電子デバイスは、有機素子材料からなる層を積層する場合には、真空蒸着法およびそれに類するドライプロセスあるいは塗布に代表されるウェットプロセスや、粘接着層を介したラミネートプロセスにより製造されてきた（特許文献３）。このようなラミネートプロセスにおいては、粘着性を有する透明電極膜および透明導電フィルムが望まれているが、従来の透明導電性フィルムでは、透明性、粘着性及び低抵抗率のバランスが課題となっている。
そこで、導電性接着剤組成物中の導電性成分として、ポリチオフェンやその誘導体のような導電性有機高分子化合物を使用することが提案されており、より具体的には、導電性有機高分子化合物を含む粘接着層を介したラミネートプロセス（特許文献４等参照）により電子デバイスを製造することが提案されている。
しかしながら、導電性有機高分子化合物を含む粘接着層を介したラミネートプロセスは、界面の清浄性、均一性が重要な素子用途では利用が限られていた。また、粘接着層の導電性が低く、ラミネート界面でのキャリア注入効率が低下したり、界面の接着力が低かったりする等、電子デバイスの性能が低下するという問題があった。
【先行技術文献】
【特許文献】
【０００３】
【特許文献１】特開２００７−３０５３５１号公報
【特許文献２】特開２００８−２８８１０２号公報
【特許文献３】特開２００６−３５２０７３号公報
【特許文献４】特表２００９-５００８３２号公報
【発明の開示】
【発明が解決しようとする課題】
【０００４】
本発明はこのような事情に鑑みてなされたもので、本発明の目的は、上記のような問題を解決した導電性接着剤組成物、導電性接着剤組成物からなる導電層を有する電子デバイス、同導電層が積層されてなる陽極積層体及び電子デバイスの製造方法を提供することにある。
【課題を解決するための手段】
【０００５】
上記のような問題を解決するため、本発明者らは鋭意検討した結果、導電性有機高分子化合物とともに特定の有機添加剤を水溶性ポリビニル重合体に添加することにより、上記問題を解決することができることを見出し、本発明を完成させた。
すなわち、本発明は、下記
（1）（Ａ）水溶性ポリビニル重合体、（Ｂ）有機添加剤及び（Ｃ）導電性有機高分子化合物を含む導電性接着剤組成物であって、
（Ｂ）有機添加剤は水溶性多価アルコール、水溶性ピロリドン類または親水性の非プロトン性溶媒から選ばれる少なくとも一種であり、（Ｃ）導電性有機高分子化合物は、ポリアニリン類、ポリピロール類またはポリチオフェン類及びその誘導体から選ばれる少なくとも１種であることを特徴とする導電性接着剤組成物、
（2）水溶性ポリビニル重合体のガラス転移温度をＴ１、（Ｂ）有機添加剤の融点をＴ２、有機添加剤の０．１０１ＭＰａ（７６０ｍｍＨｇ）における沸点をＴ３としたときに、Ｔ２＜Ｔ１＜Ｔ３を満たす上記（1）に記載の導電性接着剤組成物、
（3）水溶性ポリビニル重合体が、ポリビニルアルコール、ポリビニルピロリドン及びポリアクリル酸から選ばれる少なくとも１種である上記（1）に記載の導電性接着剤組成物、
（4）上記（1）に記載の導電性接着剤組成物からなる導電層を有することを特徴とする電子デバイス、
（5）陽極層と、前記（1）に記載の導電性接着剤組成物からなる導電層と、光電変換層と、陰極層をこの順に配置してなる上記（4）に記載の電子デバイス、
（6）陽極層と、前記（1）に記載の導電性接着剤組成物からなる導電層と、発光層と、陰極層をこの順に配置してなる上記（4）に記載の電子デバイス、
(7)基材上に陽極層、前記（1）に記載の導電性接着剤組成物からなる導電層がこの順に積層されてなることを特徴とする陽極積層体、
および
（8）上記（4）に記載の電子デバイスの製造方法であって、
陽極層上に前記（1）に記載の導電性接着剤組成物からなる導電層を形成して陽極積層体を形成させる工程と、陰極層上に前記光電変換層又は発光層を形成して陰極積層体を形成させる工程と、前記導電性接着剤組成物が軟化する温度以上で、前記陰極積層体の光電変換層又は発光層表面と前記陽極積層体の導電層表面を貼り合わせることを特徴とする電子デバイスの製造方法を提供する。
【発明の効果】
【０００６】
本発明の導電性接着剤組成物は、導電性有機高分子化合物に特定の（共）重合体と、特定の有機添加剤を添加することで、この導電性接着剤組成物からなる層は、表面抵抗が低く、透明性が高く電子デバイスの導電層として使用が可能である。
また、本発明の導電性接着剤組成物からなる導電層は、それ自体が優れた接着性を有しているため、ラミネートプロセスによる電子デバイスの製造が可能である。
【図面の簡単な説明】
【０００７】
【図１】図１（ａ）は本発明の導電層を有する電子デバイスの一例の断面を示す模式図である。  図１（ｂ）は本発明の電子デバイスの製造方法示す模式図である。
【図２】図２は本発明の電子デバイスの一つである太陽電池における電流密度と電圧の関係を示したグラフである。
【発明を実施するための最良の形態】
【０００８】
以下、本発明の導電性接着剤組成物、電子デバイス、陽極積層体および電子デバイスの製造方法について詳細に説明する。
〔１〕導電性接着剤組成物
まず、導電性接着剤組成物中の各成分について説明する。
水溶性ポリビニル重合体
成分（Ａ）の水溶性ポリビニル重合体は、導電層の導電性を低下させずに導電性接着剤組成物からなる導電層に十分な接着性を付与するためのものである。水溶性ポリビニル重合体は温水可溶性ポリビニル重合体も含む。
水溶性ポリビニル重合体のガラス転移温度（Ｔｇ）は、成膜性、接着性、取り扱いの点から、−５０〜１５０℃の範囲が好ましく、２０〜１４０℃であることが好ましく、より好ましくは３０〜１３０℃、さらに好ましくは、４０〜１２０℃である。
水溶性ポリビニル重合体は、重合体中に−ＣＨ2-ＣＨ（Ｒ）−の構造単位を有するものである。この構造単位を重合体中に少なくとも３０モル％以上有していれば、特に限定されない。水溶性ポリビニル重合体は、この構造単位を含む単独重合体であってもよく、共重合体であってもよい。これらのなかでもＲが水酸基、カルボキシル基、ピロリドン基、アクリルアミド基のいずれかであるものが好ましい。
重合体中にカルボキシル基を有するものとは、−ＣＨ2−ＣＨ（ＣＯＯＨ）−の構造単位を有するものである。カルボキシル基を有する水溶性ポリビニル重合体の具体例としては、例えば、ポリアクリル酸（ＰＡＡ）等が挙げられる。
重合体中に水酸基を有するものは、−ＣＨ2-ＣＨ（ＯＨ）−の構造単位を有するものである。
水酸基を有する水溶性ポリビニル重合体の具体例としては、例えば、ポリビニルアルコール（ＰＶＡ）、ポリビニルアルコール−エチレン共重合体、ポリビニルアルコール−（Ｎ−ビニルホルムアミド）共重合体、ポリビニルアルコール−酢酸ビニル共重合体等が挙げられる。
水酸基を有する水溶性ポリビニル重合体は、部分的にケン化されてなるものでもよく、完全にケン化されたものであってもよい。
ケン化度は、２０〜１００モル％が好ましく、より好ましくは３５〜１００モル％、さらに好ましくは４０〜１００モル％である。ケン化度が２０モル％未満の場合には、溶解性が低下する。
ピロリドン基を有する水溶性ポリビニル重合体は、−ＣＨ2-ＣＨ（ＮＣ4Ｏ）−の構造単位を有するものであり、具体例としては、例えば、ポリビニルピロリドン（ＰＶＰ）、Ｎ−ビニル−２−ピロリドン−エチレン共重合体、Ｎ−ビニル−２−ピロリドン−酢酸ビニル共重合体等が挙げられる。
アクリルアミド基を有する水溶性ポリビニル重合体は、−ＣＨ2-ＣＨ（ＣＯＮＨ2）-の構造単位を有するものであり、具体例としては、例えば、ポリアクリルアミド等が挙げられる。
水溶性ポリビニル重合体は、種々の機能を付与することを目的として疎水基やカチオン性基、スルホン酸基を含むアニオン性基、チオール基、カルボニル基、シラノール基などの官能基を上記構造単位以外に含有しても良い。
これら水溶性ポリビニル重合体の中でも、後述する電子デバイスの製造が容易に出来るという点から、Ｒが水酸基、カルボキシル基、ピロリドン基のいずれかであるものが好ましく、ＰＶＡまたはＰＶＰ、ＰＡＡが好ましい。これらの中でも、得られる導電層の導電性と接着性の点から、Ｒがカルボキシル基であるＰＡＡであることがさらに好ましい。
水溶性ポリビニル重合体の重量平均分子量（Ｍｗ）は、通常５００〜５０万であり、５００〜３０万であることが好ましく、１,０００〜２０万であることがより好ましく、３,０００〜１５万であることがさらに好ましい。
水溶性ポリビニル重合体のＭｗがこの範囲であれば、本発明の電子デバイスや陽極積層体において十分な成膜性及び接着性が発現する。
なお、前記Ｍｗはゲルパーミエイションクロマトグラフィー（ＧＰＣ）で測定された標準ポリスチレン換算の数値である。【０００９】
上記水溶性ポリビニル重合体は、上述した構造単位を３０モル％以上有するものであれば、共重合可能なその他のエチレン性不飽和単量体が１種または２種以上共重合されていてもよい。
共重合可能なその他のエチレン性不飽和単量体としては、例えば、
蟻酸ビニル、酢酸ビニル、プロピオン酸ビニル、酢酸イソプロペニル、バレリン酸ビニル、カプリン酸ビニル、カプリン酸ビニル、ラウリン酸ビニル、ステアリン酸ビニル、安息香酸ビニル、バーサティック酸ビニル、ピバリン酸ビニル等のカルボン酸ビニルエステル単量体；エチレン、プロピレン、ブチレン等のオレフィン類；スチレン、α−メチルスチレン等の芳香族ビニル類；メタクリル酸、フマル酸、マレイン酸、イタコン酸、フマル酸モノエチル、無水マレイン酸、無水イタコン酸等のエチレン性不飽和カルボン酸単量体；（メタ）アクリル酸メチル、（メタ）アクリル酸エチル、（メタ）アクリル酸ｎ-ブチル、（メタ）アクリル酸２-エチルヘキシル、フマル酸ジメチル、マレイン酸ジメチル、マレイン酸ジエチル、イタコン酸ジイソプロピル等のエチレン性不飽和カルボン酸アルキルエステル単量体；メチルビニルエーテル、ｎ-プロピルビニルエーテル、イソブチルビニルエーテル、ドデシルビニルエーテル等のビニルエーテル単量体；（メタ）アクリロニトリル等のエチレン性不飽和ニトリル単量体；塩化ビニル、塩化ビニリデン、フッ化ビニル、フッ化ビニリデン等のハロゲン化ビニル単量体またはビニリデン単量体；酢酸アリル、塩化アリル等のアリル化合物；エチレンスルホン酸、（メタ）アリルスルホン酸、２-アクリルアミド-２-メチルプロパンスルホン酸等のスルホン酸基含有単量体；３-（メタ）アクリルアミドプロピルトリメチルアンモニウムクロライド等の第四級アンモニウム基含有単量体；ビニルトリメトキシシラン、Ｎ-ビニルホルムアミド、メタアクリルアミド等が挙げられ、これらの１種または２種以上を使用することができる。【００１０】
次に、成分（Ｂ）の有機添加剤について説明する。
本発明において、成分（Ｂ）の有機添加剤は水溶性多価アルコール、水溶性ピロリドン類および親水性の非プロトン性溶媒から選ばれる少なくとも一種であることを特徴としている。
有機添加剤は、導電性の向上を目的として添加される。詳細は不明であるが、このような有機添加剤を添加することで、後述する成分（Ｃ）の導電性有機高分子化合物の配向性が向上するため、導電性が向上する。
成分（Ｂ）の有機添加剤としては、１．１０１ＭＰａ（７６０ｍｍＨｇ）における沸点が１００℃以上のものが好ましい。沸点が１００℃を下回ると導電性接着剤組成物の混合過程、保存中や後述する電子デバイスを製造する際の種々の加熱過程において有機添加剤が揮発・飛散してその配合比率が低下するため導電性を向上させる効果が低下するので好ましくない。
より好ましい沸点は１２０〜３００℃、さらに好ましくは１４０〜３００℃の範囲である。【００１１】
成分（Ｂ）の有機添加剤の一つである水溶性多価アルコールとしては、グリセリン、ジグリセリン、ポリグリセリン、エチレングリコール、ジエチレングリコール、プロピレングリコール、ジプロピレングリコール、１，３−ブタンジオール、１，４−ブタンジオール、エリスリトール、ソルビトール、ソリビタン、グルコース、マルチトール、ポリエチレングリコール、１，２-ブチレングリコール、１，３-ブチレングリコール、２，３-ブチレングリコール、３−メチル-１，３-ブチレングリコール、テトラメチレングリコール、１，２−ペンタンジオール、１，２−ヘキサンジオール、トリメチロールプロパン、ペンタエリスリトール、メチルグルコシド、ポリプロピレングリコール、キシリトール、トレハロース、マルチトール、マンニトールおよびこれらのアルキレンオキシド誘導体等が挙げられ、これらの１種または２種以上を用いてもよい。
成分（Ｂ）の有機添加剤の一つである水溶性ピロリドン類としては、Ｎ-メチルピロリドン、Ｎ-エチルピロリドン、Ｎ-プロピルピロリドン、Ｎ-イソプロピルピロリドン、Ｎ-ブチルピロリドン、Ｎ-ｔ-ブチルピロリドン、Ｎ-ペンチルピロリドン、Ｎ-ヘキシルピロリドン、Ｎ-ヘプチルピロリドン、Ｎ-シクロヘキシルピロリドン、Ｎ-オクチルピロリドン、Ｎ-（２−エチルヘキシル）ピロリドン、Ｎ-フェニルピロリドン、Ｎ-ベンジルピロリドン、フェネチルピロリドン、２−メトキシエチルピロリドン、２−メトキシプロピルピロリドン、２−ヒドロキシプロピルピロリドン、ビニルピロリドン、２−ピロリドン等が挙げられ、これらの１種または２種以上を用いてもよい。
本発明において、成分（Ｂ）有機添加剤の一つとして、非プロトン性溶媒が添加されている。本発明においては、非プロトン性溶媒は、導電性接着剤組成物中で、揮発・飛散せずに配合されているものである。このような成分（Ｂ）の有機添加剤の一つである親水性の非プロトン性溶媒としては、ジメチルスルホキシドおよびＮ,Ｎ-ジメチルホルムアミドが挙げられる。【００１２】
本発明において、成分（Ｂ）は成分（Ａ）との間で以下のような関係を満たすような組み合わせで選定することが好ましい。
すなわち、成分（Ａ）の水溶性ポリビニル重合体のガラス転移温度（Ｔｇ）をＴ１、成分（Ｂ）の有機添加剤の融点をＴ２、有機添加剤の０．１０１ＭＰａ（７６０ｍｍＨｇ）における沸点をＴ３としたときに、Ｔ２＜Ｔ１＜Ｔ３を満たす組み合わせである。
ここで、成分（Ａ）の水溶性ビニル重合体のガラス転移温度Ｔ１は、〔示差走査熱量測定（ＤＳＣ）測定器〕で測定された値である。
成分（Ａ）との間で上記のような関係を満たすような成分（Ｂ）の水溶性多価アルコールの具体例としては、例えば、グリセリン〔融点Ｔ２：１８℃、沸点Ｔ３：２９０℃〕、エチレングリコール〔融点Ｔ２：-１１．５℃、沸点Ｔ３：１９７℃〕、ジエチレングリコール〔融点Ｔ２：−６．５℃、沸点Ｔ３：２４５℃〕、プロピレングリコール〔融点Ｔ２：−５９℃、沸点Ｔ３：１８８．２℃〕、ジプロピレングリコール〔融点Ｔ２：-４０℃、沸点Ｔ３：２３２℃〕、１，３−ブタンジオール〔融点Ｔ２：-５０℃、沸点Ｔ３：２０７．５℃〕、１，４−ブタンジオール〔融点Ｔ２：１９℃、沸点Ｔ３：２３５℃〕等が挙げられる。中でも、導電性、粘着性の向上という観点からグリセリン、１，４−ブタンジオールが好ましい。
このような成分（Ｂ）の水溶性ピロリドン誘導体としては、Ｎ-メチルピロリドン〔融点Ｔ２：−２４℃、沸点Ｔ３：２０２℃〕、ビニルピロリドン〔融点Ｔ２：１３．５℃、沸点Ｔ３：２１４．５℃〕、２−ピロリドン〔融点Ｔ２：２４．６℃、沸点Ｔ３：２４５℃〕等が挙げられる。
親水性の非プロトン性溶媒としては、ジメチルスルホキシド（ＤＭＳＯ）〔融点Ｔ２：１９℃、沸点Ｔ３：１８９℃〕、Ｎ,Ｎ-ジメチルホルムアミド（ＤＭＦ）〔融点Ｔ２：−６１℃、沸点Ｔ３：１５３℃〕等が挙げられる。【００１３】
（Ｃ）導電性有機高分子化合物
本発明において、成分（Ｃ）の導電性有機高分子化合物はポリアニリン類、ポリピロール類またはポリチオフェン類、及びそれらの誘導体から選ばれる少なくとも１種であることを特徴としている。
ポリアニリン類、ポリピロール類またはポリチオフェン類、及びそれらの誘導体は、π電子共役により導電性を有する導電性高分子である。
ポリアニリン類は、アニリンの２位または３位あるいはＮ位を炭素数１〜１８のアルキル基、アルコキシ基、アリール基、スルホン酸基等で置換した化合物の高分子量体であり、例えば、ポリ２−メチルアニリン、ポリ３−メチルアニリン、ポリ２−エチルアニリン、ポリ３−エチルアニリン、ポリ２−メトキシアニリン、ポリ３−メトキシアニリン、ポリ２−エトキシアニリン、ポリ３−エトキシアニリン、ポリＮ−メチルアニリン、ポリＮ−プロピルアニリン、ポリＮ−フェニル−１−ナフチルアニリン、ポリ８−アニリノ−１−ナフタレンスルホン酸、ポリ２−アミノベンゼンスルホン酸、ポリ７−アニリノ−４−ヒドロキシ−２−ナフタレンスルホン酸等が挙げられる。
ポリピロール類とは、（ピロールの１位または３位、４位を炭素数１〜１８のアルキル基またはアルコキシ基等で置換した化合物の高分子量体であり、例えば、ポリ１−メチルピロール、ポリ３−メチルピロール、ポリ１−エチルピロール、ポリ３−エチルピロール、ポリ１−メトキシピロール、３−メトキシピロール、ポリ１−エトキシピロール、ポリ３−エトキシピロール等）が挙げられる。
ポリチオフェン類は、チオフェンの３位または４位を炭素数１〜１８のアルキル基またはアルコキシ基等で置換した化合物の高分子量体であり、例えば、ポリ３−メチルチオフェン、ポリ３−エチルチオフェン、ポリ３−メトキシチオフェン、ポリ３−エトキシチオフェン、ポリ３，４−エチレンジオキシチオフェン（ＰＥＤＯＴ）等の高分子体が挙げられる。【００１４】
ポリアニリン類、ポリピロール類またはポリチオフェン類の誘導体としては、これらのドーパント体等が挙げられる。ドーパントとしては、塩化物イオン、臭化物イオン、ヨウ化物イオンなどのハロゲン化物イオン；過塩素酸イオン；テトラフルオロ硼酸イオン；六フッ化ヒ酸イオン；硫酸イオン；硝酸イオン；チオシアン酸イオン；六フッ化ケイ酸イオン；燐酸イオン、フェニル燐酸イオン、六フッ化燐酸イオンなどの燐酸系イオン；トリフルオロ酢酸イオン；トシレートイオン、エチルベンゼンスルホン酸イオン、ドデシルベンゼンスルホン酸イオンなどのアルキルベンゼンスルホン酸イオン；メチルスルホン酸イオン、エチルスルホン酸イオンなどのアルキルスルホン酸イオン；または、ポリアクリル酸イオン、ポリビニルスルホン酸イオン、ポリスチレンスルホン酸イオン（ＰＳＳ）、ポリ（２−アクリルアミド−２−メチルプロパンスルホン酸）イオンなどの高分子イオン；挙げられ、これらは単独でもまたは２種以上組み合わせて用いてもよい。
これらの中でも、高い導電性を容易に調整でき、かつ、水分散液とした場合に、容易に分散するために有用な親水骨格を有することから、導電性有機高分子化合物に対して、ドーパントとしては、ポリアクリル酸イオン、ポリビニルスルホン酸イオン、ポリスチレンスルホン酸イオン（ＰＳＳ）、ポリ（２−アクリルアミド−２−メチルプロパンスルホン酸）イオンなどの高分子イオンが好ましく、ポリスチレンスルホン酸イオン（ＰＳＳ）がより好ましい。
上記の導電性有機高分子化合物の中でも、導電性を容易に調整でき、かつ、分散性の観点から、ポリチオフェン類の誘導体が好ましく、例えば、このような誘導体としては、ポリ（３，４−エチレンオキサイドチオフェン）とドーパントとして、ポリスチレンスルホン酸イオンの混合物（以下、「ＰＥＤＯＴ：ＰＳＳ」と記載することがある）等が好ましい。【００１５】
本発明の導電性接着剤組成物は、（Ａ）水溶性ポリビニル重合体、（Ｂ）有機添加剤及び（Ｃ）導電性有機高分子化合物を含む組成物であるが、各成分の配合量〔有効成分基準〕は、成分（Ａ）、（Ｂ）および（Ｃ）の総量を１００質量部とした時、成分（Ａ）は１〜６０質量部、好ましくは、１０〜５０質量部、より好ましくは１５〜４０質量部である。成分（Ｂ）は０．１〜９０質量部、好ましくは１０〜７０質量部、より好ましくは２０〜６５質量部である。成分（Ｃ）は０．１〜９０質量部、好ましくは、０．５〜７５質量部、より好ましくは５〜５５質量部である。
成分（Ａ）が１質量部未満の場合は、接着性が発現しなくなり、逆に６０質量部を超える場合は、導電性が低くなるので好ましくない。
成分（Ｂ）が０．１質量部未満の場合は、導電性が低くなり、逆に９０質量部を超える場合は接着性が低下するので好ましくない。
成分（Ｃ）が０．１質量部未満の場合は導電性が低くなり、逆に９０質量部を超える場合は接着性が発現しなくなるので好ましくない。【００１６】
また、本発明において、前記導電性接着剤組成物は、成分（Ａ）、（Ｂ）および（Ｃ）とともに、さらに水、トルエン、酢酸エチル、メチルエチルケトンなどの溶媒を配合した溶液であってもよい。なかでも、成分（Ａ）、（Ｂ）および（Ｃ）の溶解性の点から水溶液であることが好ましい。取り扱い性の点から、有効成分濃度は、好ましくは０．５〜８０質量％、より好ましくは１〜７０質量％である。【００１７】
本発明の導電性接着剤組成物中には前記成分（Ａ）、（Ｂ）、（Ｃ）以外にも必要に応じて、粘着付与剤、可塑剤、増粘剤、濡れ剤、消泡剤、造膜助剤、防腐剤、防錆剤、凍結溶融安定剤、顔料、着色剤、充填剤、金属粉末、酸化防止剤、光安定剤、紫外線吸収剤等を適宜添加することができる。【００１８】
〔２〕電子デバイス
本発明の電子デバイスは、導電性接着剤組成物からなる導電層を有することを特徴としている。
前記導電性接着剤組成物からなる導電層の厚さは５〜１０,０００ｎｍが好ましく、より好ましくは３０〜３,０００ｎｍである。５ｎｍ未満であると、接着性が発現せず、１０,０００ｎｍを超えると導電性が低下してしまう。
導電層は電子デバイスに適用可能な高い導電性を有している。このような導電層の表面抵抗率は、１〜１．０×１０10Ω／□が好ましく、１〜１．０×１０9Ω／□がより好ましく、１〜１．０×１０8がさらに好ましい。１〜１．０×１０10Ω／□を超えると導電性が低くなり、電子デバイスとしての性能が悪くなる。導電層の表面抵抗率が上記の範囲であれば、種々の電子デバイスとして好適である。
前記導電性接着剤組成物からなる導電層は透明性も高く、全光線透過率は、７０％以上である。全光線透過率がこの範囲であれば、特に有機エレクトロルミネッセンス（以下、有機ＥＬと記載する）素子、太陽電池等種々の電子デバイスの導電層として透明性が十分であり、好適に用いられる。
電子デバイスの具体例としては、有機ＥＬ、太陽電池以外に有機トランジスタ、有機メモリー等の有機デバイス；液晶ディスプレイ；電子ペーパー；薄膜トランジスタ；エレクトロクロミック；電気化学発光デバイス；タッチパネル；ディスプレイ；熱電変換デバイス；圧電変換デバイス；蓄電デバイス、有機光電変換素子等の種々の電子デバイスが挙げられる。【００１９】
また、本発明の電子デバイスは、陽極層と、前記導電層と、光電変換層または発光層と陰極層をこの順に配置してなることを特徴としている
このような電子デバイスとしては、有機太陽電池、フォトダイオード、有機ＥＬ等の種々の電子デバイスが挙げられる。
以下、本発明の電子デバイスを構成する各層を図１（a）により説明する。
図１（ａ）において、１は陽極層、４は導電層、３は光電変換層または発光層、２は陰極層である。【００２０】
＜光電変換層＞
光電変換層は有機光電変換素子の中心をなす光電効果を受ける層であり、単層からなっていても良いし、複数層からなっていても良い。単層の場合には、光電変換層は、通常、真性半導体層（ｉ型半導体）から形成される。
複数層の場合には、（ｐ型半導体層／ｎ型半導体層）の積層、または、（ｐ型半導体層／真性半導体層／ｎ型半導体層）等である。
光電変換層は、光電変換を行う層であり、原料の低コスト化、柔軟性、形成の容易性、吸光係数の高さ、軽量化、耐衝撃性等の観点から有機半導体であることが好ましい。
真性半導体層とは電子供与性材料（後述するｐ型半導体材料）及び電子受容性材料（後述するｎ型半導体材料）よりなるｐ−ｎ接合界面を有する有機層から形成される。図１（ａ）は単層からなる真性半導体層を示している。
光電変換層の厚さは、単層または複数層の場合で異なるが導電性、励起子拡散距離という観点から、一般的には、３０ｎｍ〜２μｍであることが好ましく、特に４０ｎｍ〜３００ｎｍであることが好ましい。【００２１】
以下、光電変換層に用いられる半導体材料について説明する。
（1）真性半導体
真性半導体の材料としては、例えば、フラーレン、フラーレン誘導体、半導体性を有するカーボンナノチューブ（ＣＮＴ）およびＣＮＴ化合物の少なくとも１種類からなる第１の材料と、ポリフェニレンビニレン（ＰＰＶ）の誘導体またはポリチオフェン系高分子材料からなる第２の材料とを、得られる半導体が真性半導体となるように混合した混合物を使用することができる。
フラーレン誘導体としては、例えば、［６，６］−フェニル−Ｃ６１−酪酸メチル（ＰＣＢＭ）等を用いることができ、また、フラーレンの二量体、またはアルカリ金属もしくはアルカリ土類金属等を導入したフラーレン化合物なども用いることができる。また、ＣＮＴとしては、フラーレンまたは金属内包フラーレンを内包したカーボンナノチューブ等を用いることができる。さらに、ＣＮＴの側壁や先端に、種々の分子を付加したＣＮＴ化合物等も用いることができる。
ポリフェニレンビニレンの誘導体としては、ポリ［２−メトキシ，５−（２’−エチル−ヘキシロキシ）−ｐ−フェニレン−ビニレン］（ＭＥＨ−ＰＰＶ）等を用いることができ、ポリチオフェン系高分子材料としては、ポリ−３−ヘキシルチオフェン（Ｐ３ＨＴ）などのポリ（３−アルキルチオフェン），ジオクチルフルオレンエン−ビチオフェン共重合体（Ｆ８Ｔ２）、等を用いることができる。
特に好ましい真性半導体としては、ＰＣＢＭとＰ３ＨＴとを質量比で１：０．３〜１：４で混合した混合物が挙げられる。【００２２】
（2）ｐ型半導体
ｐ型半導体の材料としては、例えば、ポリ-３-ヘキシルチオフェン（Ｐ３ＨＴ）等のポリアルキルチオフェンおよびその誘導体；ポリフェニレンおよびその誘導体、ポリ［２−メトキシ−５−（２′−エチル−ヘキシロキシ）−ｐ−フェニレン-ビニレン］（ＭＥＨ−ＰＰＶ）等のポリフェニレンビニレンおよびその誘導体、ポリシランおよびその誘導体、ポルフィリン誘導体、フタロシアニン誘導体、ポリアルキルチオフェンおよびその誘導体、有機金属ポリマー等が挙げられる。中でもポリアルキルチオフェンおよびその誘導体が好ましい。また、それら有機材料の混合物であってもよい。導電性高分子としては、ポリ（３，４）−エチレンジオキシチオフェン／ポリスチレンスルフォネート（ＰＥＤＯＴ：ＰＳＳ）を好ましく使用することができる。【００２３】
（3）ｎ型半導体
ｎ型半導体の材料としては、特に限定されず、１，４，５，８-ナフタレンテトラカルボキシリックジアンハイドライド（ＮＴＣＤＡ）、３，４，９，１０-ペリレンテトラカルボキシリックジアンハイドライド（ＰＴＣＤＡ）、３，４，９，１０-ペリレンテトラカルボキシリックビスベンズイミダゾール（ＰＴＣＢＩ）、Ｎ,Ｎ′-ジオクチル-３,４,９,１０−ナフチルテトラカルボキシジイミド（ＰＴＣＤＩ-Ｃ８Ｈ）、２−（４−ビフェニリル）-５-（４-ｔ-ブチルフェニル）-１,３,４-オキサジアゾール（ＰＢＤ）、２,５-ジ（１-ナフチル）-１,３,４-オキサジアゾール（ＢＮＤ）等のオキサアゾール誘導体、３−（４−ビフェニリル）-４-フェニル-５-（４-ｔ-ブチルフェニル）-１,２,４-トリアゾール（ＴＡＺ）等のトリゾール誘導体、フェナントロリン誘導体、ホスフィンオキサイド誘導体、フラーレン化合物、カーボンナノチューブ（ＣＮＴ）、ＣＮＴの側壁や先端に種々の分子を付加したＣＮＴ化合物、ポリ-ｐ-フェニレンビニレン系重合体にシアノ基を導入した誘導体（ＣＮ-ＰＰＶ）等が挙げられる。
これらの中でも、安定でキャリア移動度の高いｎ型半導体であることから特にフラーレン化合物が好ましい。
フラーレン化合物としては、例えば、［６，６］−フェニル−Ｃ６１−酪酸メチル（ＰＣＢＭ）等を用いることができる。また、フラーレンの二量体、またはアルカリ金属もしくはアルカリ土類金属を導入したフラーレン化合物等が挙げられる。これらの中でも優れた電子受容性を有する観点からＰＣＢＭが好ましい。
なお、これらのｎ型半導体は、単独でまたは２種以上組み合わせて用いることができる。【００２４】
＜発光層＞
本発明の電子デバイスにおいて、光電変換層の替わりに発光層を積層すると有機ＥＬ素子として使用することができる。
発光層は、電子とホールとの再結合により励起子が生成し、その励起子がエネルギーを放出して基底状態に戻る際に発光するような発光性有機化合物であれば、特に限定されることなく用いることができ、通常、蛍光発光する有機物、燐光を発光する有機物、または該有機物とこれを補助するドーパントとから形成される。
また、前記発光層の電荷輸送性を高めるために、前記発光層中に電子輸送性化合物及び／又はホール輸送性化合物を混合して用いてもよい。
発光層として用いられる材料としては、例えば、金属錯体系材料、高分子系材料、色素系材料、ドーパント材料等のような発光性材料が挙げられる。
金属錯体系材料としては、例えば、アルミニウム錯体、ベリリウム錯体、亜鉛錯体、アルミノキノリノール錯体、ユーロピウム錯体、イリジウム錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体若しくは希土類金属錯体等の有機金属錯体化合物が挙げられる。
高分子系材料としては、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体等が挙げられる。
色素系材料としては、例えば、シクロペンダミン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、ペリノン誘導体、ペリレン誘導体、オリゴチオフェン誘導体、オキサジアゾールダイマー、ピラゾリンダイマー、キナクリドン誘導体、クマリン誘導体等が挙げられる。
ドーパント材料としては、例えばペリレン誘導体、クマリン誘導体、ルブレン誘導体、キナクリドン誘導体、スクアリウム誘導体、ポルフィリン誘導体、スチリル系色素、テトラセン誘導体、ピラゾロン誘導体、デカシクレン、フェノキサゾン等が挙げられる。
発光層を形成する方法としては、真空蒸着法、イオン化蒸着法、スピンコーティング（スピンキャスト法）、スプレーコーティング、グラビアコーティング、バーコーティング、ドクターブレード等の各種コーティング法により前記発光性材料に応じて適宜選択して用いることができる。発光層は、コーティング法により形成されることが好ましい。
発光層の厚さは、１〜１００μｍ、好ましくは２〜１,０００ｎｍであり、より好ましくは５ｎｍ〜５００ｎｍであり、さらに好ましくは２０ｎｍ〜２００ｎｍである。【００２５】
＜陽極層＞
陽極層の材料としては、ｐ型の有機半導体のＨＯＭＯレベルに対してエネルギー障壁が小さく、仕事関数が比較的大きいものが好ましい。
また、透明な陽極層を形成することができる材料が好ましく、このような材料としては、金属酸化物が挙げられる。
金属酸化物としては、例えば、スズドープ酸化インジウム（ＩＴＯ）、酸化イリジウム（ＩｒＯ2）、酸化インジウム（Ｉｎ2Ｏ3）、酸化スズ（ＳｎＯ2）、フッ素ドープ酸化スズ（ＦＴＯ）、酸化インジウム-酸化亜鉛（ＩＺＯ）、酸化亜鉛（ＺｎＯ）、ガリウムドープ酸化亜鉛（ＧＺＯ）、アルミニウムドープ酸化亜鉛（ＡＺＯ）、酸化モリブデン（ＭｏＯ3）、酸化チタン（ＴｉＯ2）等が上げられる。
陽極層の厚さは透明性と導電性のバランスの観点から１０〜５００ｎｍであることが好ましく、３０〜３００ｎｍであることが特に好ましい。
陽極層の形成方法としては、特に制限はされず、例えば、真空蒸着、各種スパッタリング等の方法を適用できる。【００２６】
＜陰極層＞
陰極層の材料としては、電極として機能するものであれば特に制限されないが、ｎ型半導体のＬＵＭＯレベルに対してエネルギー障壁が小さく、仕事関数が比較的小さいものが好ましい。例えば、白金、金、銀、銅、アルミニウム、イリジウム、クロム、酸化亜鉛等の金属、金属酸化物もしくは合金の他、カーボンナノチューブ、またはカーボンナノチューブと上記金属、金属酸化物もしくは合金との複合体が挙げられる。
陰極層の厚さは、２０ｎｍ〜１μｍであることが好ましく、特に３０〜２００ｎｍであることが好ましい。
陰極層の形成方法としては、特に制限はされず、例えば、真空蒸着、各種スパッタリング等の方法を適用できる。【００２７】
本発明の電子デバイスは、前記陽極層および陰極層とも基材上に設けられていることが好ましい。
〔基材〕
基材としては、用途に応じて適宜選択できるが、一般的には、ガラス（板）等の無機材料またはプラスチックフィルムが使用される。
プラスチックフィルムとしては、例えば、ポリエチレンテレフタレート、ポリエチレンナフタレート、テトラアセチルセルロース、シンジオタクチックポリスチレン、ポリフェニレンスルフィド、ポリカーボネート、ポリアリレート、ポリスルホン、ポリエステルスルホン、ポリエーテルイミド、環状ポリオレフィン等の樹脂からなるフィルムが挙げられ、中でも機械的強度、耐久性等に優れたものが好ましい。
基材の厚さは、機械的強度、耐久性の点から一般的には３μｍ〜５ｍｍであり、好ましくは１０μｍ〜１ｍｍであり、特に好ましくは２０μｍ〜３００μｍである。【００２８】
〔４〕電子デバイスの製造方法
本発明の電子デバイスの製造方法は、陽極層上に前記の導電性接着剤組成物からなる導電層を形成して陽極積層体を形成させる工程と、陰極層上に前記光電変換層または発光層を形成して陰極積層体を形成させる工程と、前記導電性接着剤組成物が軟化する温度以上で、前記陰極積層体の光電変換層または発光層表面と前記陽極積層体の導電層表面を貼り合わせることを特徴としている。
以下、本発明の電子デバイスの製造方法を図１（ｂ）により順に説明する。
陽極層１と導電層４を一体化したものを陽極積層体（後述する）と称する。２の陰極層と３の光電変換層または発光層を一体化したものを陰極積層体（後述する）と称する。
下向きの矢印は陽極積層体と陰極積層体を加熱下、圧着して一体化して電子デバイスとすることを表わしている。【００２９】
〔陽極積層体〕
陽極積層体は、陽極層１の上に本発明の導電性接着剤組成物からなる前記導電層４が形成されたものからなっている。
一般的には、陽極層は、基材上に設けられている。
基材上に陽極を設ける方法としては、真空蒸着、スパッタリング、イオンプレーティング等のＰＶＤ（物理気相蒸着）、もしくは熱ＣＶＤ、原子層蒸着（ＡＬＤ）等のＣＶＤ（化学気相蒸着）などのドライプロセス、またはディップコーティング、スピンコーティング、スプレーコーティング、バーコーティング、グラビアコーティング、ダイコーティング、ドクターブレード等の各種コーティングや電気化学的ディポジションなどのウェットプロセスが挙げられ、陽極層の材料に応じて適宜選択される。
陽極層上に導電層を形成させる形成方法は、導電性接着剤組成物を、精製水等の適当な溶剤に溶解又は分散してなる導電層形成用溶液を、陽極層上に塗付し、得られた塗膜を乾燥させ、所望により、導電性接着剤組成物中の有機添加剤が揮発しない程度で加熱することより形成することができる。形成方法としては、ディップコーティング、スピンコーティング、スプレーコーティング、バーコーティング、グラビアコーティング、ダイコーティング、ドクターブレード等の各種コーティングや電気化学的ディポジションなどのウェットプロセスが挙げられ、適宜選択される。【００３０】
〔陰極積層体〕
陰極積層体は、前記陰極層２の上に前記光電変換層または発光層３が形成されたものからなっている。
一般的には、陰極層２は、基材上に設けられている。
基材上に陽極層を設ける方法としては、真空蒸着、スパッタリング、イオンプレーティング等のＰＶＤ（物理気相蒸着）、もしくは熱ＣＶＤ、原子層蒸着（ＡＬＤ）等のＣＶＤ（化学気相蒸着）などのドライプロセス等が挙げられ、陰極層の材料に応じて適宜選択される。
陰極層上に光電変換層または発光層を形成させる形成方法は、真空蒸着、スパッタリング、イオンプレーティング等のＰＶＤ（物理気相蒸着）、もしくは熱ＣＶＤ、原子層蒸着（ＡＬＤ）等のＣＶＤ（化学気相蒸着）などのドライプロセス、またはディップコーティング、スピンコーティング、スプレーコーティング、グラビアコーティング、バーコーティング、ドクターブレード等の各種コーティングや電気化学的ディポジションなどのウェットプロセスによりが挙げられ、光電変換層または発光層の材料に応じて適宜選択される。【００３１】
前記導電性接着剤組成物が軟化する温度は、成分（Ａ）のガラス転移温度（Ｔｇ）以上の温度である。製造しやすいという点から、貼り合わせ時の加工温度は、具体的には１００℃程度である。
本発明の電子デバイスの製造方法は、本発明の導電性接着剤組成物からなる導電層表面と光電変換層または発光層表面を貼り合わせるため、ラミネートプロセスにより容易に電子デバイスを製造することができる。
また、この方法では、光電変換層または発光層を形成させた後に陰極層として金属層を形成させる工程が存在せず、金属層が不均一になったり、金属層成膜時のエネルギーによって光電変換層または発光層がダメージを受けることがないため、電子デバイスの性能が低下することがない。
【実施例】
【００３２】
以下、実施例及び比較例により、本発明をさらに詳しく説明するが、本発明はこれらにより何ら限定されるものではない。【００３３】
＜実施例１＞
［導電性接着剤組成物の調製］
成分（Ａ）の水溶性ポリビニル重合体として、ポリビニルアルコール〔シグマアルドリッチ社製、製品名「ポリビニルアルコール」、分子量Ｍｗ＝９１００、Ｔｇ（Ｔ１）：５０℃、表１中ではＰＶＡと記載〕５０質量部を使用した。成分（Ｂ）の有機添加剤として、グリセリン〔シグマアルドリッチ社製、製品名「グリセリン」、融点（Ｔ２）：１８℃、沸点（Ｔ３）：２９０℃〕５０質量部を使用した。成分（Ｃ）の導電性高分子であるポリチオフェン類としてポリ（３，４−エチレンオキサイドチオフェン）（ＰＥＤＯＴ）とポリスチレンスルホン酸（ＰＳＳ）の混合物（ＰＥＤＯＴ:ＰＳＳ）〔Ｈ.Ｃ.Ｓｔａｒｃｋ社製、製品名「ＣｌｅｖｉｏｕｓＰ ＶＰ．ＡＩ４０８３、有効成分１質量％」、表１中ではポリチオフェン類と記載〕１０,０００質量部を使用した。
前記成分（Ａ）、（Ｂ）および（Ｃ）を精製水２００質量部に溶解させ、導電性接着剤組成物の塗工液（有効成分：１．９質量％）を調製した。【００３４】
［陽極積層体の作製］
スズドープ酸化インジウム（ＩＴＯ）層の厚さが１５０ｎｍになるようにスパッタリングされたＩＴＯガラス〔テクノプリント社製、製品名「ＩＴＯガラス」〕を陽極層として用いた。
次いで、上記陽極層上に、上記で得られた導電性接着剤組成物の塗工液をスピンコート法により塗工し、１００℃で３０分間乾燥させ、厚さ１００ｎｍの導電性接着剤組成物からなる導電層を形成させた。【００３５】
[陰極積層体の作製]
基材として、ポリエチレンテレフタレートフィルム〔東洋紡績社製、製品名「コスモシャインＡ４１００」〕上に、１×１０-3Ｐａ以下の減圧下、アルミニウムを蒸着法で製膜することにより、厚さ１００ｎｍのアルミニウム層を成膜し、陰極層を形成させた。
次いで、光電変換層として、ポリ−３−ヘキシルチオフェン（Ｐ３ＨＴ）と［６，６］−フェニル−Ｃ６１−酪酸メチル（ＰＣＢＭ）とを質量比１：０．８で混合した混合物のクロロベンゼン溶液（濃度：２％）を、スピンキャスト法により塗布し、１２０℃で１０分間乾燥して、厚さ１００ｎｍの真性半導体層を形成させた。【００３６】
［電子デバイス（太陽電池）の作製］
得られた陽極積層体の導電層表面と、陰極積層体の光電変換層表面とをロールラミネーター〔ロイヤルソブリン社製、製品名「ＲＳＬ−３２８Ｓ」〕のローラーの温度を１２０℃に加熱し圧着して貼り合わせることで電子デバイスを得た。【００３７】
＜実施例２、３＞
下記表１の配合に変える以外は実施例１と同様にして、電子デバイスを得た。【００３８】
＜実施例４＞
成分（Ｂ）の有機添加剤をＮ-メチルピロリドン〔和光純薬工業株式会社製、Ｔ２：融点−２４℃、Ｔ３：沸点２０２℃〕に変えて、下記表１の配合に変える以外は実施例１と同様にして電子デバイスを得た。【００３９】
＜実施例５＞
成分（Ａ）のＰＶＡをポリビニルピロリドン〔シグマアルドリッチ社製、Ｔｇ(Ｔ１):８０℃、表１中ではＰＶＰと記載〕に変えて、下記表１の配合に変える以外は実施例１と同様にして電子デバイスを得た。【００４０】
＜実施例６＞
成分（Ａ）のＰＶＡをポリビニルピロリドン〔シグマアルドリッチ社製、Ｔｇ（Ｔ１）：８０℃〕に変え、成分（Ｂ）の有機添加剤をＮ-メチルピロリドン（Ｔ２：融点−２４℃、Ｔ３：沸点２０２℃）に変えて、下記表１の配合に変える以外は実施例１と同様にして電子デバイスを得た。【００４１】
＜実施例７＞
成分（Ｂ）の有機添加剤をジメチルスルホキサイド〔和光純薬工業株式会社製、表１中の記載はＤＭＳＯ、Ｔ２：融点１９℃、Ｔ３：沸点１８９℃〕に変えて、下記表１の配合に変える以外は実施例１と同様にして電子デバイスを得た。【００４２】
＜実施例８＞
成分（Ｂ）の有機添加剤をジメチルフォルムアミド〔和光純薬工業株式会社製、表１中の記載はＤＭＦ、Ｔ２：融点−６１℃、Ｔ３：沸点１５３℃〕に変えて、下記表１の配合に変える以外は実施例１と同様にして電子デバイスを得た。【００４３】
＜実施例９＞
成分（Ｃ）の導電性有機高分子化合物であるポリアニリン類としてポリアニリン〔シグマアルドリッチ株式会社製、有効成分１質量％、表１中ではポリアニリン類１と記載〕に変えて、下記表１の配合に変える以外は実施例1と同様にして電子デバイスを得た。【００４４】
＜実施例１０＞
成分（Ｃ）の導電性有機高分子化合物であるポリピロール類としてポリピロール〔シグマアルドリッチ社製、有効成分１質量％、表１中ではポリピロール類と記載〕に変える以外は実施例1と同様にして電子デバイスを得た。【００４５】
＜比較例１〜７＞
成分（Ａ）、（Ｂ）、（Ｃ）を下記表１の配合にする以外は実施例１と同様にして、電子デバイスを得た。
実施例１〜１０で得られた導電層および電子デバイスの各物性および比較例１〜７で得られた導電層の各物性を表１に示す。【００４６】
＜実施例１１＞
［導電性接着剤組成物の調製］
成分（Ａ）の水溶性ポリビニル重合体として、アクリル酸重合体〔シグマアルドリッチ製、製品名「ポリアクリル酸」、重量平均分子量１００,０００、有効成分：４０質量％、Ｔｇ（Ｔ１）：１０２℃、表２中ではＰＡＡと記載〕を有効成分として４５質量部を使用した。成分（Ｂ）の有機添加剤として、グリセリン〔シグマアルドリッチ社製、製品名「グリセリン」、融点（Ｔ２）：１８℃、沸点（Ｔ３）：２９０℃〕９０質量部を使用した。成分（Ｃ）の導電性高分子であるポリチオフェン類としてポリ（３，４−エチレンオキサイドチオフェン）（ＰＥＤＯＴ）とポリスチレンスルホン酸（ＰＳＳ）の混合物（ＰＥＤＯＴ:ＰＳＳ）〔Ｈ.Ｃ.Ｓｔａｒｃｋ社製、製品名「ＣｌｅｖｉｏｕｓＰ ＶＰ．ＡＩ４０８３」、有効成分１質量％、表２中ではポリチオフェン類と記載〕を１５００質量部(有効成分としては１５質量部)使用した。前記成分（Ａ）、（Ｂ）および（Ｃ）を精製水２００質量部に溶解させ、導電性接着剤組成物の塗工液（有効成分：７．８質量％）を調製した。【００４７】
［陽極積層体の作製］
下記表２の配合に変えて、かつ、導電層の厚さを１,０００ｎｍとした以外は実施例１と同様に行って、陽極積層体を作製した。【００４８】
［電子デバイス（太陽電池）の作製］
［陰極積層体の作製］
導電層を下記表２の配合に変えて、かつ、光電変換層として、厚さ１,０００ｎｍの真性半導体層を形成させ、陰極積層体において光電変換層を形成させた以外は実施例１と同様に行った。
得られた陽極積層体の導電層表面と、陰極積層体の光電変換層の表面とをロールラミネーター〔ロイヤルソブリン社製、製品名「ＲＳＬ−３２８Ｓ」〕のローラーの温度を１００℃に加熱し圧着して貼り合わせることで電子デバイス（太陽電池）を得た。【００４９】
[電子デバイス（有機ＥＬ素子）の作製]
［陰極積層体の作製］
基材として、ポリエチレンテレフタレートフィルム〔東洋紡績株式会社製、製品名「コスモシャインＡ４１００」〕上に、１×１０-3Ｐａ以下の減圧下、銀を蒸着法で厚さが１００ｎｍになるように製膜し、次いでマグネシウムを厚さが１０ｎｍになるように蒸着することで、陰極層を形成させた。
次いで、株式会社Ｌｕｍｉｎｅｓｃｅｎｃｅ  Ｔｅｃｈｎｏｌｏｇｙ製の（ポリ（２−メトキシ−５−（３′，７′−ジメチルオクチルオキシ）−１，４−フェニレン−ビニレン））〔商品名「ＭＤＭＯ-ＰＰＶ」〕をキシレンに溶解（濃度：１質量％）し、スピンキャスト法により塗布し、１００℃で１０分間乾燥して、厚さ１００ｎｍの発光層を形成させた。
［貼り合わせによる電子デバイス（有機ＥＬ素子）の作製］
下記表２の配合に変えて、かつ、導電層の厚さを１,０００ｎｍとした以外は実施例１と同様に行って得られた陽極積層体の導電層表面と、陰極積層体の発光層の表面とをロールラミネーター〔ロイヤルソブリン社製、製品名「ＲＳＬ−３２８Ｓ」〕のローラーの温度を１００℃に加熱し圧着して貼り合わせることで電子デバイス（有機ＥＬ素子）を得た。【００５０】
＜実施例１２、１３＞
下記表２の配合に変えた以外は実施例１１と同様にして、電子デバイス（太陽電池および有機ＥＬ素子）を得た。【００５１】
＜実施例１４〜１５、１７＞
下記表２の配合に変えた以外は実施例１１と同様にして、電子デバイス（太陽電池および有機ＥＬ素子）を得た。
＜実施例１６＞
成分（Ｃ）の導電性有機高分子化合物であるポリアニリン類としてポリアニリン〔日産化学工業株式会社製、製品名「Ｄ１０３３Ｗ」、表２中ではポリアニリン類２と記載〕に変えて、下記表１の配合に変える以外は実施例1と同様にして電子デバイスを得た。【００５２】
＜比較例８〜１５＞
成分（Ａ）、（Ｂ）、（Ｃ）を下記表２の配合とし、導電層の厚さを下記表２に記載のものとした以外は実施例１１と同様にして、電子デバイス（太陽電池および有機ＥＬ素子）を得た。ただし、比較例１１〜１４においては、陽極積層体の導電層表面と、陰極積層体の光電変換層または発光層の表面貼り合わせることができず電子デバイスを作製することができなかった。
実施例１１〜１７および比較例８〜１０、１５で得られた導電層および電子デバイスの各物性を表２に示す。【００５３】
実施例１〜１７および比較例１〜１５で使用した材料を以下にまとめて記載する。
（1）アクリル酸重合体（表２中ではＰＡＡと記載）
シグマアルドリッチ製、製品名「ポリアクリル酸」
（3）グリセリン
シグマアルドリッチ社製、製品名「グリセリン」
（4）Ｎ-メチルピロリドン
和光純薬工業株式会社製、製品名「Ｎ-メチルピロリドン」
（5）ジメチルスルホキシド（表２ではＤＭＳＯと記載）
和光純薬工業株式会社製、製品名「ジメチルスルホキシド」
（6）Ｎ,Ｎ-ジメチルホルムアミド（表２ではＤＭＦと記載）
和光純薬工業株式会社製、製品名「Ｎ,Ｎ-ジメチルホルムアミド」
（7）ポリチオフェン類
Ｈ.Ｃ.Ｓｔａｒｃｋ社製、製品名「ＣｌｅｖｉｏｕｓＰ ＶＰ．ＡＩ４０８３」
（8）ポリアニリン類１
シグマアルドリッチ株式会社製、製品名「ポリアニリン」（実施例９）
ポリアニリン類２
日産化学工業株式会社製、製品名「Ｄ１０３３Ｗ」（実施例１６）
（9）ポリピロール類
シグマアルドリッチ社製、製品名「ポリピロール」【００５４】
表１および表２に記載の特性は下記のようにして測定した。
（1）導電層の厚さ
導電性接着剤組成物からなる導電層の厚さは、触針式表面形状測定装置〔Ｖｅｅｃｏ社製、製品名「Ｄｅｋｔａｋ１５０」〕により測定した。
（2）表面抵抗値
得られた陽極積層体の導電層表面を、表面抵抗測定装置〔三菱化学社製、製品名「ロレスタＧＰ ＭＣＰ−Ｔ６００」〕により、四端子法で導電層の表面抵抗値を測定した。
（3）全光線透過率
得られた陽極積層体を、光線透過率測定装置〔日本電色工業社製、製品名「ＮＤＨ−５０００」〕を用いてＪＩＳ  Ｋ７６３１−１に準じて、全光線透過率を測定し、導電層の全光線透過率とした。
（4）接着性
実施例および比較例で得られた導電性接着剤組成物の塗工液をポリエチレンテレフタレートフィルム〔東洋紡績社製、製品名「コスモシャインＡ４１００」、厚み１００μｍ〕上に塗工し、１００℃で１０分間乾燥させ、膜厚１００ｎｍの導電性接着剤組成物からなる導電層を形成させ、測定用サンプル（５×５ｃｍ）を作製した。
得られた測定用サンプルを、ラミネーター〔ロイヤルソブリン社製、製品名「ＲＳＬ-３２８Ｊ」〕を用いて、温度１２０℃でガラス板（２５ｍｍ×２５ｍｍ、厚み１ｍｍ）に貼り合わせた。その後、常温まで冷却後、測定用サンプルを垂直にし、接着しているか否かを調べた。
下記の基準で″貼り合わせ評価″として表１および表２に記載した。
○：ガラス板から測定用サンプルが落ちずに接着している。
×：接着せずにガラス板から測定用サンプルが剥離した。
（5）接着力
表２に記載されている接着力は、実施例１１〜１７および比較例８〜１０で得られた導電性接着剤組成物の塗工液をポリエチレンテレフタレートフィルム〔東洋紡績社製、製品名「コスモシャインＡ４１００」、厚み１００μｍ〕上に塗工し、１００℃で１０分間乾燥させ、膜厚１,０００ｎｍの導電性接着剤組成物からなる導電層を形成させ、測定用サンプルを作製した。
得られた測定用サンプルを、を用いてＪＩＳ  Ｚ０２３７（２００９）に準じて、２３℃、５０％ＲＨ（相対湿度）環境下で２５ｍｍ×３００ｍｍにカットした測定用サンプルをラミネーター〔ロイヤルソブリン社製、製品名「ＲＳＬ-３２８Ｊ」〕を用いて、温度１００℃で被着体（ガラス板、８００ｍｍ×１５００ｍｍ、厚み３ｍｍ）に貼り合わせた。貼付後２４時間時点の粘着力を１８０°引き剥がし法によって、引っ張り速度３００ｍｍ／分にて測定した。
（6）ガラス転移温度
成分（Ａ）の水溶性ビニル重合体のガラス転移温度Ｔ１は、ＪＩＳ Ｋ ７１２１に準拠し、入力補償示差走査熱量測定装置〔パーキンエルマー社製、装置名「Ｐｙｒｉｓｌ ＤＳＧ」〕を用いて、−８０℃から２５０℃の温度範囲で、捕外ガラス転移開始温度を測定して求めた。【００５５】
［電子デバイス（太陽電池）の評価］
実施例および比較例で得られた電子デバイスを、ソースメジャーユニット〔ワコム電創社製〕を用いて電流電圧特性を測定し、得られた整流曲線を観察した。
○：整流性有
×：整流性無（貼り合せ不良により電子デバイスとして機能しない）
実施例１１の配合で得られた電子デバイス（太陽電池）に関して得られた電流密度−電圧曲線を図２に示す。【００５６】
［電子デバイス（有機ＥＬ素子）の評価方法］
実施例１１〜１７および比較例８〜１０、１５で得られた電子デバイス（有機ＥＬ素子）の電流-電圧特性は有機ＥＬ発光効率測定装置〔ＰＲＥＣＩＳＥ ＧＡＵＧＥＳ社製、製品名「ＥＬ１００３」〕を用いて電流電圧特性を測定し、得られた整流曲線を観察した。
○：整流性有
×：整流性無（貼り合せ不良により電子デバイスとして機能しない）
また、電圧印加時の電子デバイス（有機ＥＬ素子）の輝度（ｃｄ/ｃｍ2）は輝度計〔コニカミノルタ社製、製品名「ＬＳ-１１０」〕を用いて測定を行った。結果を表２に示す。【００５７】
【表１】
2012043025.tif 000002
【００５８】
【表２】
2012043025.tif 000003
【００５９】
表１から、以下のことが確認される。
（Ａ）成分のみからなる比較例３および４、（Ａ）成分と（Ｃ）成分からなる比較例１および２の導電性接着剤組成物からなる導電層では、表面抵抗が高く、得られた電子デバイスは整流性が見られず、デバイスとして機能しなかった。
（Ｂ）成分のみからなる比較例５および６の導電性接着剤組成物では、成膜性が悪く、導電層の膜形成が出来なかった。また、(Ｃ)成分のみからなる比較例７の導電性接着剤組成物からなる導電層は、接着性がなく、貼り合わせにより電子デバイスを作製することが出来なかった。
一方、成分（Ａ）、（Ｂ）および（Ｃ）からなる実施例１〜１０の導電性接着剤組成物からなる導電層では、表面抵抗値が低く透明性も高かった。また、接着性も良好であるため、貼り合わせによる電子デバイスの作製が良好に出来、かつ得られた電子デバイスも整流性があったことからデバイスとしても有効であることがわかった。【００６０】
表２から、以下のことが確認される。
（Ａ）成分のみからなる比較例１０の導電性接着剤組成物からなる導電層では、表面抵抗が高く、得られた電子デバイス(太陽電池)は整流性が見られず、デバイスとして機能しなかった。また、得られた電子デバイス(有機ＥＬ素子)のＥＬ特性（輝度）の測定を試みたが発光しなかった。
（Ａ）成分と（Ｃ）成分のみからなる比較例８および９の導電性接着剤組成物からなる導電層では、表面抵抗が高く、得られた電子デバイス(太陽電池)は整流性が見られず、デバイスとして機能しなかった。また、それらのＥＬ特性（輝度）の測定をしたが輝度が低かった。（Ｂ）成分のみからなる比較例１１〜１４の導電性接着剤組成物においては、成膜性が悪く、導電層の膜形成が出来なかった。また、(Ｃ)成分のみからなる比較例１５の導電性接着剤組成物からなる導電層は、導電層の接着性がなく、貼り合わせにより電子デバイスを作製することが出来なかった。
一方、成分（Ａ）、（Ｂ）および（Ｃ）からなる実施例１１〜１７の導電性接着剤組成物からなる導電層では、表面抵抗値が低く透明性も高かった。また、接着性も良好であるため、貼り合わせによる電子デバイスの作製が良好に出来、かつ得られた電子デバイスも整流性があったことからデバイスとしても有効であることがわかった。また、それらのＥＬ特性（輝度）は高く良好であった。
【産業上の利用可能性】
【００６１】
本発明の導電性接着剤組成物は、優れた接着性を有し、かつ表面抵抗が低く、透明性も高いため、有機トランジスタ、有機メモリー、有機ＥＬ等の有機デバイス；液晶ディスプレイ；電子ペーパー；薄膜トランジスタ；エレクトロクロミック；電気化学発光デバイス；タッチパネル；ディスプレイ；太陽電池；熱電変換デバイス；圧電変換デバイス；蓄電デバイス；等の電子デバイスの導電層として使用可能であり、ラミネートプロセスによる電子デバイスの分野で有用である。
【符号の説明】
【００６２】
１：陽極層
２：陰極層
３：光電変換層または発光層
４：導電層
【図１】
2012043025.tif 000004
【図２】
2012043025.tif 000005
【国際調査報告】
2012043025.tif 000006
2012043025.tif 000007
2012043025.tif 000008
2012043025.tif 000009